(57)【要約】      （修正有）【課題】ブリケットの生産効率を向上させてブリケットを安定供給する方法の提供。【解決手段】廃液を脱水して脱水ケーキと脱離液とに分離する一次脱水分離部１と、一次脱水分離部１で分離された脱離液を脱水して脱水ケーキと脱離液とに分離する二次脱水分離部２と、一次脱水分離部１で分離された脱水ケーキと、二次脱水分離部２で分離された脱水ケーキとを混合する脱水ケーキ混合部５と、を有する処理システムＡ。更に脱水ケーキ混合部５で得られた脱水ケーキを乾燥して、ブリケットＢを生産する乾燥部７を備える廃液処理システムＡ。【選択図】図１
2016203123.tif 000002
【特許請求の範囲】
【請求項１】
廃液を脱水することで、脱水ケーキと脱離液とに分離処理する廃液の処理システムであって、
前記廃液を脱水して脱水ケーキと脱離液とに分離する一次脱水分離部と、
前記一次脱水分離部で分離された脱離液を脱水して脱水ケーキと脱離液とに分離する二次脱水分離部と、
前記一次脱水分離部で分離された前記脱水ケーキと、前記二次脱水分離部で分離された前記脱水ケーキとを混合する脱水ケーキ混合部と、
を有することを特徴とする廃液の処理システム。
【請求項２】
前記脱水ケーキ混合部で得られた前記脱水ケーキを乾燥してブリケットを製造する乾燥部が備えられていることを特徴とする請求項１記載の廃液の処理システム。
【請求項３】
前記廃液が、植物性油の製造過程で生じる植物性油廃液であることを特徴とする請求項１又は２記載の廃液の処理システム。
【請求項４】
前記一次脱水分離部と前記二次脱水分離部とにわたり、前記一次脱水分離部で分離された前記脱離液と、可燃性、及び吸水性を有する添加材とを混合する添加材混合部が接続されていることを特徴とする請求項１乃至３いずれか１項記載の廃液の処理システム。
【請求項５】
前記二次脱水分離部に、高分子凝集剤を供給する凝集剤供給部が接続されていることを特徴とする請求項１乃至４いずれか１項記載の廃液の処理システム。
【請求項６】
前記脱水ケーキ混合部に、植物由来の廃棄物を粉砕した粉砕物を添加する粉砕物添加部が接続されていることを特徴とする請求項１乃至５いずれか１項記載の廃液の処理システム。
【請求項７】
前記二次脱水分離部に、該二次脱水分離部で分離された前記脱離液をラグーンに排水する排水部が接続されていることを特徴とする請求項１乃至６いずれか１項記載の廃液の処理システム。
【請求項８】
前記一次脱水分離部が、デカンタ型遠心分離機であることを特徴とする請求項１乃至７いずれか１項記載の廃液の処理システム。  
【請求項９】
前記二次脱水分離部が、スクリュープレス型脱水機であることを特徴とする請求項１乃至８いずれか１項記載の廃液の処理システム。
【請求項１０】
廃液を脱水することで、脱水ケーキと脱離液とに分離処理する廃液の処理方法であって、
前記廃液を脱水して脱水ケーキと脱離液とに分離する一次脱水分離工程と、
前記一次脱水分離工程で分離された脱離液を脱水して脱水ケーキと脱離液とに分離する二次脱水分離工程と、
前記一次脱水分離工程で分離された前記脱水ケーキと、前記二次脱水分離工程で分離された前記脱水ケーキとを混合する脱水ケーキ混合工程と、
を有することを特徴とする廃液の処理方法。
【発明の詳細な説明】
【技術分野】
【０００１】
本発明は、各種廃液の処理システム及び処理方法に関する。
【背景技術】
【０００２】
食用油、マーガリン、ショートニング、石鹸の原料として利用される植物性油は、世界で最も生産されているパームオイルが知られている。
【０００３】
パームオイルは、アブラヤシの果実を加工することで製造される。このパームオイルの製造過程では、パームオイルの他に、パームオイル廃液、繊維、殻、空房等の副産物が発生する。
【０００４】
特に、パームオイル廃液は、製造されるパームオイルの重量のおよそ２．５倍の重量という大量の廃液として発生する。
【０００５】
繊維や殻は含水率が低く発熱量が高いため、パームオイルの製造施設の蒸気や電力を補うための燃料として使用されている。また、空房は、含水率が高く燃料には適さないため、アブラヤシプランテーションの苗木、若木のマルチ、又は焼却してその焼却灰を肥料として、として使用されている。
【０００６】
パームオイル廃液は、通常の状態においては単なる廃棄物でしかなく、ラグーンにおいて処理されるが、このパームオイル廃液は、前述のように、大量に発生してしまうため、パームオイル廃液に含まれる有機成分がメタンガスとなって大気中に放出される。
【０００７】
メタンガスの排出係数は、二酸化炭素の２１倍と高いため、このメタンガスを回収して燃料として利用することが考えられるが、回収プラントの建設費や運転維持管理費等を考慮すると、メタンガスの価格的な問題が生じるため現実的には難しいものである。
【０００８】
このため、パームオイル廃液を処理して、その一部を燃料として利用できるようにした処理システムが提案されている。この処理システムとしては、下記、特許文献１に記載のように、パームオイル廃液中に含まれる砂、固形物、油及び懸濁物を除去することによって、パームオイル廃液を清澄化して清水を得ると共に、パームオイル廃液の処理工場の燃料となる助燃材(以下、ブリケットという)を得る処理システムが知られている。
【０００９】
この処理システムは、パームオイル廃液中に含まれる砂を分離する工程と、前記砂を分離した廃液から固形物を分離する工程と、前記固形物を分離した廃液を遠心分離により油と排水とに分離する工程と、前記排水に中性無機系粉末凝集剤を添加、混合して、該排水中に含まれる懸濁物を捕集してフロックを形成させる凝集反応工程と、液体サイクロンによって、前記フロックを含有する固形分含有率の低い排水から遠心分離により清水を排除し、濃縮した該フロックの濃縮液を得る濃縮工程と、前記フロックの濃縮液及び固形物を乾燥してブリケットを得る乾燥工程との処理工程により、清水を得ることができると共に、ブリケットを得ることができる。
【先行技術文献】
【特許文献】
【００１０】
【特許文献１】特許第４５７７９１１号公報
【発明の概要】
【発明が解決しようとする課題】
【００１１】
前述のブリケットは、パームオイル廃液の処理工場に用いられる燃料以外にも使用できるため、バイオマス発電(メタン発酵発電や直接燃焼発電)の燃料としての商品価値がある。そのため、このブリケットを商品として製造するには、効率的にパームオイル廃液を処理してブリケットの生産効率を向上させて、このブリケットを安定供給できるようにする必要がある。
【００１２】
本発明は、このような問題に対処することを課題の一例とするものである。すなわち、植物性油廃液を含む各種廃液処理の効率性を向上できること、これにより、ブリケットの生産効率を向上できると共に、ブリケットを安定供給できること、等が本発明の目的である。
【課題を解決するための手段】
【００１３】
このような目的を達成するために、本発明は、以下の構成を少なくとも具備するものである。
【００１４】
廃液を脱水することで、脱水ケーキと脱離液とに分離処理する廃液の処理システムであって、前記廃液を脱水して脱水ケーキと脱離液とに分離する一次脱水分離部と、前記一次脱水分離部で分離された脱離液を脱水して脱水ケーキと脱離液とに分離する二次脱水分離部と、前記一次脱水分離部で分離された前記脱水ケーキと、前記二次脱水分離部で分離された前記脱水ケーキとを混合する脱水ケーキ混合部と、を有することを特徴とする廃液の処理システムである。
【００１５】
廃液を脱水することで、脱水ケーキと脱離液とに分離処理する廃液の処理方法であって、前記廃液を脱水して脱水ケーキと脱離液とに分離する一次脱水分離工程と、前記一次脱水分離工程で分離された脱離液を脱水して脱水ケーキと脱離液とに分離する二次脱水分離工程と、前記一次脱水分離工程で分離された前記脱水ケーキと、前記二次脱水分離工程で分離された前記脱水ケーキとを混合する脱水ケーキ混合工程と、を有することを特徴とする廃液の処理方法である。
【図面の簡単な説明】
【００１６】
【図１】本発明に係る一実施形態の廃液の処理システムを示す概略構成図である。
【発明を実施するための形態】
【００１７】
本発明の廃液は、産業廃棄物となる各種廃液であり、例えば、植物性油の製造過程で生じる植物性油廃液、動物性油の製造過程で生じる動物性油廃液、工場や家庭から排水される廃液、等を挙げることができる。
【００１８】
本発明による廃液の処理システムは、前記一次脱水分離部と前記二次脱水分離部とにわたり、前記一次脱水分離部で分離された前記脱離液と、可燃性、及び吸水性を有する添加材とを混合する添加材混合部を接続するとよい。
【００１９】
また、本発明による廃液の処理システムは、前記二次脱水分離部に、高分子凝集剤を供給する凝集剤供給部を接続するとよい。
【００２０】
また、本発明による廃液の処理システムは、前記脱水ケーキ混合部に、植物由来の廃棄物を粉砕した粉砕物を添加する粉砕物添加部を接続するとよい。
【００２１】
また、本発明による廃液の処理システムは、前記二次脱水分離部に、該二次脱水分離部で分離された前記脱離液をラグーンに排水する排水部を接続するとよい。
【００２２】
前記一次脱水分離部は、デカンタ型遠心分離機であることが好ましく、前記二次脱水分離部は、スクリュープレス型脱水機であることが好ましい。
【００２３】
尚、以下で説明する各実施形態は、本発明を限定するものではない。また、以下で説明する各実施形態で例示する廃液は、植物性油廃液であり、より具体的には、アブラヤシの果実から製造されるパームオイルの製造工程で発生する副産物であるパームオイル廃液（以下、「ＰＯＭＥ」という）として例示する。植物性油廃液は、ＰＯＭＥに限らず、ヤシ、サトウキビ、キャッサバ、ココナッツ等の植物由来のオイルの製造工程で発生する副産物である廃液が含まれる。
【００２４】
以下、本発明の第一実施形態に係るＰＯＭＥの処理システムＡを図１に基づいて説明する。
【００２５】
この処理システムＡは、ＰＯＭＥを脱水した脱水ケーキを乾燥させることで、最終製品であるブリケットＢを製造するものである。
【００２６】
処理システムＡは、ＰＯＭＥを脱水して脱水ケーキと脱離液とに分離する一次脱水分離部１と、一次脱水分離部１で分離された脱離液を脱水して脱水ケーキと脱離液とに分離する二次脱水分離部２と、一次脱水分離部１と二次脱水分離部２とにわたるように接続され、一次脱水分離部１で分離された脱離液と、可燃性、及び吸水性を有する添加材とを混合する添加材混合部３と、二次脱水分離部２に接続され、二次脱水分離部２に高分子凝集剤を供給する凝集剤供給部４と、一次脱水分離部１と二次脱水分離部２とが接続され、一次脱水分離部１で分離された脱水ケーキと、二次脱水分離部２で分離された脱水ケーキとを混合する脱水ケーキ混合部５と、脱水ケーキ混合部５に、植物由来の廃棄物を粉砕した粉砕物を供給する粉砕物供給部６と、脱水ケーキ混合部５で得られた脱水ケーキを乾燥してブリケットＢを製造する乾燥部７と、二次脱水分離部２とラグーン８とにわたるように接続され、二次脱水分離部２で分離された脱離液をラグーン８に排水する排水部２１と、を有している。
【００２７】
ここで、可燃性、及び吸水性を有する添加材とは、脱離液の水分を吸収することで、二次脱水分離部２での脱離液の脱水効率を向上させるものであると共に、脱水ケーキに残留する添加材を可燃材として機能させるものであり、このような添加材としては、木粉、パームオイルの製造工程で発生する他の副産物であるアブラヤシの殻、繊維、空房を粉状にしたもの、紙材を細断したもの等の、天然素材であって、入手が容易なものがよい。
【００２８】
また、植物由来の廃棄物を粉砕した粉砕物とは、脱水ケーキに混合することで、脱水ケーキを乾燥させたブリケットＢの燃焼を補助する材料とし、且つ増量材として機能させるものであり、このような粉砕としては、パームオイルの製造工程で発生する他の副産物であるアブラヤシの殻、繊維、空房を粉砕したもの、木粉、木チップ（間伐材や廃棄木材からなるものが好ましい）、稲わら、麦わら、豆殻等の、天然素材であって、着火性、燃焼性に優れ、しかも入手が容易なものがよい。
【００２９】
特に、アブラヤシの殻、繊維、空房は、パームオイルの製造工程で必ず発生するものであり、大量に発生する産業廃棄物であるので、このアブラヤシの殻、繊維、空房を添加材や粉砕物の原料とすることで、産業廃棄物の処理も行うことができるという効果がある。
【００３０】
尚、ヤシ、サトウキビ、キャッサバ、ココナッツ等からオイルを製造する場合には、このオイルの製造工程で発生する他の副産物である夫々の殻を、添加材や粉砕物の原料とするとよい。
【００３１】
一次脱水分離部１には、ＰＯＭＥを貯留するタンク（図示せず）からポンプ（図示せず）とを備えたＰＯＭＥ搬送部９からＰＯＭＥが搬送される。
【００３２】
一次脱水分離部１は、デカンタ型遠心分離機が用いられている。このデカンタ型遠心分離機は、高速回転で連続処理するため処理効率が高く、高速回転による遠心力を利用して脱水するので、高分子凝集剤を用いなくても効率よい脱水・分離を行うことができるという特徴がある。すなわち、最初に脱水・分離される含水率の高いＰＯＭＥから、脱水ケーキと離脱液との分離を効率よく行うことができるものである。
【００３３】
一次脱水分離部１で分離された脱水ケーキは、一次脱水分離部１から排出されると共に、脱水ケーキ搬送部１０を介して脱水ケーキ混合部５に搬送される。脱水ケーキ搬送部１０は、一次脱水分離部１から排出された脱水ケーキを受け止めると共に、脱水ケーキ混合部５に搬送して供給可能なコンベヤ（図示せず）が例示できる。
【００３４】
また、一次脱水分離部１で分離された脱離液は、一次脱水分離部１から排出されると共に、脱離液搬送部１１を介して添加材混合部３に搬送される。脱離液搬送部１１は、一次脱水分離部１から排出された脱離液を貯留するタンク（図示せず）と、このタンクと添加材混合部３とにわたって配管された配管部（図示せず）と、脱離液をタンクから配管部を介して添加材混合部３に圧送するポンプ（図示せず）とを備えた構成が例示できる。
【００３５】
二次脱水分離部２は、スクリュープレス型脱水機が用いられている。スクリュープレス型脱水機は、コンパクトでありながら、連続運転が可能なものであり、高分子凝集剤を用いると分離性能が非常に高くなるという特徴がある。すなわち、一次脱水分離部１で脱水ケーキが分離されて含水率が高くなった脱離液に、前述の添加剤を添加すると共に、高分子凝集剤を添加して脱水することで、脱離液を効率よく脱水・分離を行うことができる。
【００３６】
二次脱水分離部２で分離された脱水ケーキは、二次脱水分離部２から排出されると共に、脱水ケーキ搬送部２０を介して脱水ケーキ混合部５に搬送される。脱水ケーキ搬送部２０は、二次脱水分離部２から排出された脱水ケーキを受け止めると共に、脱水ケーキ混合部５に搬送して供給可能なコンベヤ（図示せず）が例示できる。
【００３７】
また、二次脱水分離部２で分離された脱離液は、二次脱水分離部２から排出されると共に、排水部２１を介してラグーン８に排水される。排水部２１は、二次脱水分離部２から排出される脱離液を貯留するタンク（図示せず）と、タンクとラグーン８とわたって配管された配管部（図示せず）と、脱離液をタンクから配管部を介してラグーン８に圧送するポンプ（図示せず）とを備えた構成が例示できる。
【００３８】
尚、一次脱水分離部１で用いられるデカンタ型遠心分離機の内、スクリュー式のデカンタ型遠心分離機が、脱水ケーキと脱離液との分離の効率性という点において好ましい。また、一次脱水分離部１、二次脱水分離部２では、フィルタープレス方式、ローラープレス方式、ロータリードラムスクリーン方式、ベルトスクリーン方式、サイクロン方式等の脱水分離機を用いることができる。
【００３９】
添加材混合部３は、一次脱水分離部１で分離された脱離液と添加材が供給され、供給された脱離液と添加材を混合するものであり、添加材が脱離液の水分を吸水することによって、脱離液の二次脱水分離部２での脱水分離の効率性が向上すると共に、可燃材として機能する添加材を最終製品であるブリケットに含有させることができる。
【００４０】
添加材混合部３には、添加材を添加材混合部３に供給する添加材供給部３０が接続されており、この添加材供給部３０から添加材混合部３に添加材を供給するようにされている。
【００４１】
添加材供給部３０は、添加材を貯留するホッパ（図示せず）、及びホッパから排出する添加材を受け止めると共に、添加材混合部３に搬送して供給するコンベヤ（図示せず）を備えた構成が例示できる。この構成の添加材供給部３０は、ホッパからの添加材の排出量を、脱離液の量に応じて必要な量に増減できるように制御するとよい。
【００４２】
凝集剤供給部４は、高分子凝集剤と水とを混合すると共に、この混合物を二次脱水分離部２に供給するものである。
【００４３】
凝集剤供給部４は、高分子凝集剤と水とを混合する混合部４０と、高分子凝集剤を混合部４０に供給する供給部４１と、水を混合部４０に給水する給水部４２と、混合部４０から二次脱水分離部２に混合物を搬送する搬送部４３とから構成されており、供給部４１から供給された高分子凝集剤と、給水部４２から給水された水とを、混合部４０で混合し、混合された混合物を混合部４０から搬送部４３によって二次脱水分離部２へ搬送して供給するようにされている。
【００４４】
混合部４０は、混合された混合物を搬送部４３に排出するようにされている。この構成の混合部４０は、混合物の排出量を、二次脱水分離部２に供給された脱離液の量に応じて必要な量に増減できると共に、必要な量を排出したときに自動的に混合物の排出を停止できるように制御するとよい。
【００４５】
供給部４１は、高分子凝集剤を貯留するホッパ（図示せず）と、ホッパから排出する高分子凝集剤を受け止めると共に、混合部４０に搬送して供給するコンベヤ（図示せず）とを備えた構成が例示できる。この構成の供給部４１は、ホッパからの高分子凝集剤の排出量を、二次脱水分離部２に供給された脱離液の量に応じて必要な量に増減できると共に、必要な量を排出したときに自動的に高分子凝集剤の排出を停止できるように制御するとよい。
【００４６】
給水部４２は、水を貯水する貯水タンク（図示せず）と、この貯水タンクと混合部４０とにわたって配管された配管部（図示せず）と、ポンプ（図示せず）と、開閉バルブ（図示せず）を備えた構成が例示できる。この構成の給水部４２は、開閉バルブを電磁バルブとし、この電磁バルブを高分子凝集剤の供給量に応じて必要な量に増減できると共に、自動的に開閉できるように制御するとよい。
【００４７】
搬送部４３は、混合部４０から排出された高分子凝集剤と水との混合物を受け止めると共に、二次脱水分離部２に搬送して供給するコンベヤが例示できる（図示せず）。
【００４８】
脱水ケーキ混合部５には、粉砕物供給部６から粉砕物が供給され、この粉砕物が一次脱水分離部１で分離された脱水ケーキと、二次脱水分離部２で分離された脱水ケーキに、脱水ケーキ混合部５内で混合され、混合された脱水ケーキを乾燥部７に搬送するようにされている。
【００４９】
粉砕物供給部６は、粉砕物を貯留するホッパ（図示せず）と、ホッパから排出された粉砕物を受け止めると共に、脱水ケーキ混合部５に搬送して供給するコンベヤ（図示せず）とを備えた構成が例示できる。この構成の粉砕物供給部６は、ホッパからの粉砕物の排出量を、脱水ケーキ混合部５に供給された脱水ケーキの量に応じて必要な量に増減できると共に、必要な量を排出したときに自動的に粉砕物の排出を停止できるように制御するとよい。
【００５０】
乾燥部７は、ヒータ（図示せず）の熱、天日による熱、或いは、ヒータと天日との組み合わせによる熱等によって、脱水ケーキを乾燥させてブリケットＢを製造するものである。
【００５１】
次に、処理システムＡによるＰＯＭＥ処理方法の実施例を説明する。本実施例では、一日（ｄ）当たり８００ｔのＰＯＭＥを、以下の各処理工程で処理した際に得られたブリケットＢの重量（ｔ）、及びブリケットＢの含水率（ＭＣ）、ラグーン８に排水される脱離液の重量（ｔ）、及び含水率（ＭＣ）を測定した。
【実施例】
【００５２】
一次脱水分離工程：ＭＣ９５％のＰＯＭＥを、デカンタ型遠心分離機を用いた一次脱水分離部１に８００ｔ／ｄ流入して脱水分離処理を行った。一次脱水分離工程では、ＭＣ７５％の脱水ケーキが８０ｔ／ｄ得られ、ＭＣ９７．２％の脱離液が７２０ｔ／ｄ得られた。一次脱水分離工程で得られた脱水ケーキは、脱水ケーキ混合部５に搬送され、脱離液は、添加材混合部３に搬送される。
【００５３】
添加材混合工程：添加材混合部３にＭＣ３０％の木粉（添加材）を５ｔ／ｄ搬送し、この木粉と添加材混合部３に搬送された脱離液とを混合する。添加材混合工程では、ＭＣ９６．８％の脱離液が７２５ｔ／ｄ得られた。添加材混合工程で得られた脱離液は、木粉を添加して混合したことによって、脱離液に最終製品であるブリケットＢの可燃材となる木粉を含有させることができる。添加材混合工程で得られた脱離液は、二次脱水分離部２に搬送される。
【００５４】
高分子凝集剤添加工程：二次脱水分離部２に高分子凝集剤を添加する。高分子凝集剤添加工程では、混合部４０によって、２０ｔ／ｄの高分子凝集剤が、１２０ｔ／ｄの水で希釈されると共に、二次脱水分離部２に搬送される。二次脱水分離部２に搬送された高分子凝集剤によって、二次脱水分離部２内の脱離液が固液分離され、この固液分離によって、二次脱水分離部２での脱水分離の効率性を向上させることができる。
【００５５】
二次脱水分離工程：添加材混合工程で得られた脱離液を、スクリュープレス型脱水機を用いた二次脱水分離部２で脱水分離を行った。一次脱水分離工程では、ＭＣ６５％の脱水ケーキが４４．１ｔ／ｄ得られ、ＭＣ９９．１％の脱離液が８００．９ｔ／ｄ得られた。二次脱水分離工程で得られた脱水ケーキは、脱水ケーキ混合部５に搬送され、脱離液は、ラグーン８に排水される。
【００５６】
二次脱水分離工程で得られた脱離液は、一次脱水分離工程、及び二次脱水分離工程の二回の脱水分離、更には、添加材混合工程、及び高分子凝集剤添加工程によって、有機物の含有率が低下した脱離液となり、ラグーン８に排水されて処理されるときに、脱離液からのメタンの発生量が大幅に低減される。
【００５７】
粉砕物混合工程：脱水ケーキ混合部５に、アブラヤシの殻、繊維、空房を粉砕してなるＭＣ３０％の粉砕物を４０ｔ／ｄ搬送し、脱水ケーキ混合部５内の脱水ケーキと混合する。粉砕物混合工程では、ＭＣ６１．４％の脱水ケーキが得られると共に、乾燥部７に１６４．１ｔ／ｄ搬送される。
【００５８】
この粉砕物は、パームオイルの製造過程で生じる産業廃棄物であり、しかも、可燃性を有するものであるので、産業廃棄物の処理ができ、しかも、製造されるブリケットＢに可燃材を含有させることができる。
【００５９】
脱水ケーキ乾燥工程：粉砕物混合部５から搬送される脱水ケーキを、乾燥部７で乾燥させた。その結果、ＭＣ１０％のブリケットＢが７０．４ｔ／ｄ得られた。
【００６０】
処理システムＡを用いた前述の処理工程によると、ＭＣ９５％のＰＯＭＥを８００ｔ／ｄ処理することができ、この処理により、ＭＣ１０％という含水率が低いブリケットＢを７０．４ｔ／ｄ得ることができる。
【００６１】
更に、処理システムＡを用いた前述の処理工程で得られたブリケットＢは、可燃材として機能する木粉やアブラヤシの殻、繊維、空房を粉砕してなる粉砕物が含有されているので、着火性や燃焼性の向上が期待できる。
【００６２】
また、前述のように処理効率が高いデカンタ型遠心分離機を用いた一次脱水分離部１によって一次脱水分離を行い、一次脱水分離後の脱離液に、木粉、及び高分子凝集剤を添加して、前述のように高分子凝集剤を用いると分離性能が非常に高くなるスクリュープレス型脱水機を用いた二次脱水分離部２によって二次脱水分離を行うため、脱水ケーキの含水率を効果的に下げることができ、これによって、ブリケットＢの乾燥効率が向上するため、ブリケットＢを効率よく製造することができる。
【００６３】
更に、デカンタ型遠心分離機による一次脱水分離と、スクリュープレス型脱水機による二次脱水分離との二回の脱水分離を行うため、高価な高分子凝集剤の使用量を低減することができる。
【００６４】
そして、高価な高分子凝集剤の使用量を低減することができるので、ブリケットＢの製造コストを低減することができ、これによって、ブリケットＢを安価に提供することができる。
【００６５】
したがって、処理システムＡ、及び処理システムＡを用いた処理工程によって、ＰＯＭＥ処理の効率性が向上し、これにより、ブリケットＢの製造効率が向上すると共に、ブリケットＢを安価に、且つ安定よく供給することができる。
【００６６】
尚、前述の処理システムＡの実施形態では、一次脱水分離後の脱離液に木粉（添加材）を添加する構成として例示したが、本発明の処理システムＡでは、一次脱水分離部１と二次脱水分離部２との二回の脱水分離を行うものであるため、木粉の添加を省略しても、効率的な脱水分離が期待できる。
【００６７】
前述の処理工程では、実施例として、ＭＣ９５％のＰＯＭＥを８００ｔ／ｄ処理するもので例示したが、この数値は、本発明の説明するための一例であり、ＰＯＭＥの含水率や一日当たりの処理量を限定するものではない。
【００６８】
また、前述の処理システムＡの実施形態では、ＰＯＭＥを脱水処理した脱水ケーキを乾燥処理して、最終製品としてブリケットＢを製造するシステムとして例示したが、本発明の処理システムＡは、ＰＯＭＥ以外の植物性油廃液、動物性油廃液、工場や家庭から排水される廃液等の各種廃液を脱水処理して、脱水ケーキと脱離液とに分離し、この脱水ケーキをセメント原料や肥料などにリサイクルするための原料として製造するシステムとしても利用することができる。
フォームの終わり
【符号の説明】
【００６９】
Ａ：処理システム
Ｂ：ブリケット
１：一次脱水分離部
２：二次脱水分離部
３：添加材混合部
４：凝集剤供給部
５：脱水ケーキ混合部
６：粉砕物供給部
７：乾燥部
８：ラグーン
２１：排水部
【図１】
2016203123.tif 000003